(57)【要約】      （修正有）【課題】人感センサーやシステムコントローラーを活用する事で、記録装置の無駄な記録が削減でき、必要とする特定な場面を記録が出来れば、後で管理者が見る時も膨大な検索時間が無くすことができる。【解決手段】１〜３の複数台から成る人感センサーが、異常を認識した時だけシステムコントローラー１３を介して、記録を開始又は停止する事で、テープ又はハードディスクの記録媒体に必要な時だけ記録する事ができ、記録媒体の無駄な記録を省く事が可能となる。【選択図】図−１
2006005893.tif 000002
【特許請求の範囲】
【請求項１】
図−１の１〜３の複数台から成る人感センサーそして、図−１の４〜６の照明装置などと、図−１の７〜９の複数台から成るテレビカメラ装置など（このカメラ装置はマイクなどを含む音響入力装置を装備／装着）から成り立つセキュリティーシステムと、それらから取込まれた画像／音声情報などを、図−１の１３のシステムコントローラー（センサー．照明装置．カメラなどの動作や切替及び録画のタイミングなどが自由自在に操る事が可能。又、予め人口知能のシステムプログラミングが組込まれている事で、さまざまな電脳インテリジェントシステム機能を準拠しています。）（以後は略してシステムコントローラーと称します。）を介して図−１の１１〜１２のテープ式又は、電子式記録再生装置で特定あるいは不特定なプログラミングから成る様々なシステムにて録画／録音をした情報を、図−１の１４のモニターテレビ装置にて見る事が出来ます。
【請求項２】
一般的に、特定な時間帯や特定な異常の場面だけを記録すると言う実例は少なく、殆どが例えばタイムラプスビデオレコーダーなどを用いて、極めて長期間（例えば延べ時間が４８０時間〜９６０時間）に渡って記録されます。この方式では、テープなどの場合ですと、どこの場所にどのような場面が記録されてるか大変に解りづらいです。又、電子式記録再生装置（例えばハードディスク式の装置）を用いても、これもまた特定な場面の再生をする事は大変困難です。  しかし図−１の１〜３の複数台から成る人感センサーなどが、異常を認識した時だけを図−１の１３のシステムコントローラーを介して、記録装置を開始又は停止する事ができればテープ又はハードディスクの記録媒体を、必要な時だけ記録する事で、記録媒体の無駄な記録を省く事が可能な発明です。
【請求項３】
夜間など周囲が暗い時は、図−１の１〜３の複数台から成る人感センサーからの信号を、図−１の１３のシステムコントローラーで信号の交通整理をする事で、図１の４〜６の照明装置などを作動させたり、又、この複数台の照明装置を特定な装置のみを点灯させ、他の照明装置は消灯のままにする事も可能です。
そうする事で無意味な個所の照明装置の点灯を省く事ができ、更には図−１の７〜９の複数台から成るテレビカメラ装置を、必要に応じて必要とされるテレビカメラだけを動作させる事ができ、場合によってはランダムにカメラ装置を切替えたり、全てのカメラを一斉に動作させる事も可能です。又、図−１の９の特殊機能（人工知能プログラム）を搭載させた電子式（当方が愛称とするロボットカメラシステム）では、パン．チルト．ズームの設定を任意に登録された位置や角度及びズームなどをシステムコントローラーにて自由自在に操る事が出きます。  図−１の１３のシステムコントローラーを介す事で照明装置を点灯／消灯を交互に繰返す事も可能。特定の時間帯や任意に必要な場面を図−１の１１〜１２のテープ式又は、電子式録画再生装置を開始／停止させる事も可能です。  又、通常は図１の４〜６の照明装置、図−１の７〜９の複数台から成るテレビカメラ装置、そして図−１の１１〜１２のテープ式又は、電子式録画再生装置、図−１の１４のモニターテレビ装置など全て電源を停止状態にする事が出来ます。  そして、図−１の１〜３の複数台から成る人感などが異常を認識した時に、図−１の１３のシステムコントローラーで情報を処理。そして必要に応じて、各部の装置へ電源が入るように仕掛ける事で、超節電型セキュリティーシステムが可能です。
【請求項４】
通常の状態で、図−１の１１〜１２のテープ式又は、電子式録画再生装置は連続的に記録を続け、図−１の１〜３の複数台から成る人感センサーなどが異常を認識した時に、始めて記録装置を停止させる事が出来ます。  この方式は、常日頃は記録を続けてますが、図−１の１〜３の複数台から成る人感センサーなどが異常を認識した時、図−１の１３のシステムコントローラーから記録の停止信号を発令。
つまりは、常日頃は記録を続けて異常が認識出来た時に始めて記録を停止する事が出来ます。  ハードディスクの場合もテープと同様の記録方式を実施する事も可能です。  又、この時、例えば夜間などでは、図１の４〜６の照明装置などを特定の動作環境で点灯又は点灯／消灯を交互に続ける事で威嚇効果が一層高まります。更には、システムコントローラーの電子メモリー内へ予め人間の声で、例えば（当建物内で無断侵入者を発見、ただちに警察官並びに各部署へ緊急通報。カメラにて全て映像の撮込みは終了致しました。）又は猛犬の怒り狂った吠え声など幾つかの登録された情報を、図−１の１０の人の声や猛犬の吠える声などを流す事で、侵入者たちへより一層の警戒／威嚇効果を高める事が可能と成ります。一般的なテープやハードディスクへ記録するだけの簡単なシステムと異なり侵入者たちの、精神的な抑止効果動揺効果を高める事で、侵入者が無意識のうちに心の余裕すら低下させる事が可能な録画装置とトータルセキュリティーシステムの発明です。
【発明の詳細な説明】
【発明に属する技術分野】
【０００１】一般的に、特定な時間帯や特定な異常の場面だけを記録すると言う実例は少なく、殆どが例えばタイムラプスビデオレコーダーなどを用いて、極めて長期間に渡って記録されます。この方式は、どこにどのような情報が記録されてるか把握する事が大変に困難ですが、図−１の１〜３の複数台から成る人感センサーなどが、異変を認識した時にだけ図−１の１３のシステムコントローラーを介して、記録装置を開始させ、又は停止する事が可能な為にテープ又はハードディスクの記録媒体を、必要な時に必要なだけを記録する事で、無駄な記録を省く事が可能な発明です。
【背景技術】
【０００２】従来の方法は、デジタル技術を用いたハードディスク記録装置を用いても連続的な記録方式です。いくら大型記録メディアを採用しても、記録媒体に限度は有ります。例えば、この豊富な記録媒体を最大限に活用して仮に１０００時間程度とします。そして特定の場面や個所だけを再生／再現をするのには、最低でも６００〜１０００時間程度以上の手間と労力が不可欠と成ります。  そして、この作業をおろそかにしますと、特定の場面を見過ごして、せっかくの検索の手間は益々増大をしてしまいます。
【発明が解決しようとする課題】
【０００３】従来の方法は、デジタル技術を用いたハードディスク記録装置を用いても、連続的な記録方式では、特定の場面や個所だけを再生／再現をするのは、膨大な時間と手間と言う浪費が不可欠です。
もし、この永遠的なテーマが大幅に削減でき、記録媒体を無駄な記録による記録媒体の資源の省エネルギーと言った観点から見ましても、決して良い案とは考えづらいです。
図−１の１〜３の複数台から成る人感センサーと図−１の１３のシステムコントローラーなどを活用する事で、記録装置の無駄な記録場面が削減でき、必要とする特定な場面のみ記録が出来れば、後で管理者が再生する時に膨大な検索の労力や手間の軽減となります。場合によっては、今まで６００〜１０００時間以上を必要でしたが、わずか数時間〜数十分程度で検索作業が完了。  場合によっては全くゼロと成ります。  その理由としてこの記録装置は、図−１の１〜３の複数台から成る人感センサーなどが認識した時だけを記録する事で、一切の無駄な記録場面が無いからです。  全て必要とする場面だけを取込むためです。  更に、図−１の１３のシステムコントローラーの信号の交通整理システムの中から常時記録を選択。  例えば（ＶＨＳの２時間ビデオテープの場合。）記録の場合は、録画モードを３倍速度と標準速度の選択子の中から予め画質の綺麗な標準速度を選択します。  常時記録ですので２時間が過ぎますと、それ以上の記録は出来なく成りますが、この発明では２時間が過ぎますとテープが自動的に巻き戻されてスタート位置まで戻った後に、再度、記録の開始信号が発令され、引き続き２時間＋α（２時間の事です）の記録を続行。  又、例えば６０分のテープでも２時間テープと同様に最初のスタート位置までテープは巻き戻され、再度に渡って記録を続行します。更にはどのような記録時間のテープで有りましてもこの動作が可能です。  （参項までに申し上げますと  例えば２０分物．３０分物．４５分物．６０分物．１２０分物．１８０分物．２４０分物を始めとしてその他の様様なテープに対応する事が可能。）この重複した動作が幾度と繰返される事で、タイムラプスビデオレコーダー（２時間テープを４８０倍速の９６０時間）などの画質とは異なり個々のテープが本来から持ちうる能力を最大限に活用した画像で記録する事ができます。  そして、図−１の１〜３の複数台から成る人感センサーなどが異常を認識した時点で、図−１の１３のシステムコントローラーから記録装置へ記録停止の信号が発令がされ停止します。  又、テープが巻き戻し作業の最中に、偶然に図−１の１〜３の複数台から成る人感センサーなどが異常を認識した場合、せっかくの記録が出来なく成りますのでこの場合に限り、システムコントローラーより巻き戻し作業を中止する電気信号を発令した後、すぐに記録開始の信号を発令、予め定められた記録時間（例えば１分〜１０分程度の範囲で自在に選択が可能です。  参項までに、例えば３０分程度の設定も可能ですが、この時間の分だけを目視確認の手間と忍耐が不可欠と成ります。）が過ぎますと記録停止の信号が発令され、テープは停止します。  その結果、管理者は従来のようにテープを全て検索する事が不用。  テープが停止した位置よりほんのわずか数分程度を巻き戻す事で、異常が発生した時の画像を確認する事が可能です。
【課題を解決しようとする手段】
【０００４】一般的に、特定な時間帯や特定な異常場面だけを記録すると言う実例が少なく、例えばタイムラプスビデオレコーダーなどを用いて、極めて長期間に渡って記録するのが殆どです。この方式は、テープなどを用いた場合で、テープのどの場所にどんな映像が記録されているか把握できず又、電子式記録再生装置（ハードディスク式）を用いても、これもまた同様な事が考えられます。しかし図−１の１〜３の複数台から成る人感センサーなどが、異常を認識した時だけ図−１の１３のシステムコントローラーを介して、記録を開始又は停止する事ができればテープ又はハードディスクの記録媒体を、必要な時だけ記録する事で、記録媒体の無駄な記録を省く事が可能です。
【発明実施の形態】
【０００５】システムコントローラーにセットされた電脳インテリジェント機能を介して、各部の装置を理想的な動作環境を計算して各部へ適材適所なる信号を発令。又は、待機状態（異常などが生じていない状態の事を意味。）などには各部の装置が特別に電源のＯＮを必要としない時には、超節電機能が働きだして各部の装置へ電源の供給を停止する事ができます。やがて異常が認識された時には、電源を各部へ供給する事で、各部の装置の節電を始めとして、各部の装置の寿命の延ばす事にも繋がります。
【発明の効果】
【０００６】一般的に、特定な時間帯や特定な異常の場面だけを記録すると言う実例は少なく、殆どが例えばタイムラプスビデオレコーダーなどを用いて、極めて長期間に渡って記録されます。この方式では、テープなどの場合ですと、どこの場所にどのような場面が記録されてるか大変に解りづらいです。図−１の１〜３の複数台から成る人感センサーなどが、異変を認識した時だけ図−１の１３のシステムコントローラーを介して、記録装置を開始させ、又は停止する事が可能な為テープ又はハードディスクの記録媒体を、必要な時に必要なだけ記録、無駄な記録を省く事が可能です。  図−１の１〜３の複数台から成る人感センサーや図−１の１３のシステムコントローラーなどを活用する事で、記録装置の無駄な記録が削減でき、必要とする特定な場面だけ記録が出来れば、後で管理者が見ようとする時も膨大な検索時間を省けて場合によっては、今まで６００〜１０００時間以上が必要でしたが、わずか数時間〜数十分程度で検索作業が完了。
場合によっては全くゼロです。  結果として綺麗な画質で記録されたテープなどを警察官へ提出する事で従来より短期間で犯人などの割り出しと逮捕に繋がったりする事で、町や都会から犯罪が一つでも多く減る事を期待ができる発明です。
【図面の簡単な説明】
【図１】  録画記録装置とトータルセキュリティーシステム
【符号の説明】
１−人感センサーの図
２−人感センサーの図
３−人感センサーの図
４−照明装置の図
５−照明装置の図
６−照明装置の図
７−テレビカメラ装置及びマイクロフォンなどを装備／装着の図
８−テレビカメラ装置及びマイクロフォンなどを装備／装着の図
９−テレビカメラ装置及びマイクロフォンなどを装備／装着の図
１０−人の警告音声や猛犬などの吠える声の威嚇装置の図
１１−テープ式又は、電子式録画再生装置の図
１２−テープ式又は、電子式録画再生装置の図
１３−システムコントローラーの図
１４−モニターテレビ装置の図
【図−１】
2006005893.tif 000003